(57)【要約】    【課題】      数多くある単語データの中からマスターデータとして入力する際の操作性を向上させることができるプリンターにおけるマスターデータ入力装置およびマスターデータ入力方法を提供すること。    【解決手段】  各種の単語データを品名、原材料、添加物、価格、その他の情報などに分類分けしておくこと、データ入力フィールド２０に対して単語テーブル２３を対応させることに着目し、単語データを項目ごとに分類分けし、印字用紙の領域に互いに独立した所定数のデータ入力フィールド２０を設定し、表示されたデータ入力フィールド２０のいずれかを選択して単語テーブル２３の一覧を表示するとともに、これらのデータ入力フィールド２０に対応して単語テーブル２３をそれぞれ選択して割り当て可能とし、マスターデータを入力するマスターテーブルとして設定可能とすることを特徴とする。【選択図】        図４ 
2005107618.tif 000002
【特許請求の範囲】
【請求項１】
装填された印字用紙に印字を行う印字部と、
この印字部により印字される印字データとしてあらかじめ登録してある各種の単語データ、および各種の制御プログラムを保存しているＲＯＭと、
これらの制御プログラムにしたがって前記印字部を制御する制御部と、
この制御部による各種の操作その他の表示を行う表示部と、を有し、
前記単語データを各項目ごとにひとつ選択して入力し一組のデータ群とするとともに、これをマスターデータとして登録可能とするプリンターにおけるマスターデータ入力装置であって、
前記単語データを前記項目ごとに分類分けし、それぞれの項目の単語テーブルとして単語テーブル保存部に記憶しておくとともに、
前記印字用紙の領域に互いに独立した所定数のデータ入力フィールドを設定し、
前記表示部においてこれらのデータ入力フィールドを表示可能とし、
前記制御部は、この表示されたデータ入力フィールドのいずれかを選択することにより、前記単語テーブルの一覧を表示するとともに、これらのデータ入力フィールドに対応して前記単語テーブルをそれぞれ選択して割り当て可能とし、前記マスターデータを入力するマスターテーブルとして設定可能とすることを特徴とするプリンターにおけるマスターデータ入力装置。
【請求項２】
前記表示部は、タッチパネルを有し、このタッチパネルにおいて前記データ入力フィールドのそれぞれを表示可能とするとともに、
このデータ入力フィールドのいずれかひとつに触れることにより前記それぞれの単語テーブルの一覧を表示し、いずれかひとつの単語テーブルを選択可能とすることを特徴とする請求項１記載のプリンターにおけるマスターデータ入力装置。
【請求項３】
前記所定数のデータ入力フィールドに対応して入力した前記マスターデータをマスターデータ保存部に記憶することを特徴とする請求項１記載のプリンターにおけるマスターデータ入力装置。
【請求項４】
装填された印字用紙に印字を行う印字部と、
この印字部により印字される印字データとしてあらかじめ登録してある各種の単語データ、および各種の制御プログラムを保存しているＲＯＭと、
これらの制御プログラムにしたがって前記印字部を制御する制御部と、
この制御部による各種の操作その他の表示を行う表示部と、を有し、
前記単語データを各項目ごとにひとつ選択して入力し一組のデータ群とするとともに、これをマスターデータとして登録可能とするプリンターにおけるマスターデータ入力装置であって、
前記単語データのそれぞれにコード番号を付与して、このコード番号により前記単語データを選択可能とし、
前記単語データを前記項目ごとに分類分けし、それぞれの項目の単語テーブルとして単語テーブル保存部に記憶しておくとともに、
前記制御部は、いずれかの前記コード番号の入力により、対応する前記単語データを表示して前記マスターデータとして入力可能とすることを特徴とするプリンターにおけるマスターデータ入力装置。
【請求項５】
前記表示部にテーブルキーを設け、
前記コード番号およびこのテーブルキーの入力により前記単語データを表示可能とすることを特徴とする請求項４記載のプリンターにおけるマスターデータ入力装置。
【請求項６】
装填された印字用紙に印字を行う印字部と、
この印字部により印字される印字データとしてあらかじめ登録してある各種の単語データ、および各種の制御プログラムを保存しているＲＯＭと、
これらの制御プログラムにしたがって前記印字部を制御する制御部と、
この制御部による各種の操作その他の表示を行う表示部と、を有し、
前記単語データを各項目ごとにひとつ選択して入力し一組のデータ群とするとともに、これをマスターデータとして登録可能とするプリンターにおけるマスターデータ入力装置であって、
前記単語データのそれぞれに省略名を付与して、この省略名により前記単語データないしそのいくつかを表示して選択可能とし、
前記単語データを前記項目ごとに分類分けし、それぞれの項目の単語テーブルとして単語テーブル保存部に記憶しておくとともに、
前記制御部は、いずれかの前記省略名の入力により、対応する前記単語データないしそのいくつかを表示して選択可能とし、前記マスターデータとして入力可能とすることを特徴とするプリンターにおけるマスターデータ入力装置。
【請求項７】
前記表示部にテーブルキーを設け、
前記省略名およびこのテーブルキーの入力により前記単語データを表示可能とすることを特徴とする請求項６記載のプリンターにおけるマスターデータ入力装置。
【請求項８】
装填された印字用紙に印字を行う印字部と、
この印字部により印字される印字データとしてあらかじめ登録してある各種の単語データ、および各種の制御プログラムを保存しているＲＯＭと、
これらの制御プログラムにしたがって前記印字部を制御する制御部と、
この制御部による各種の操作その他の表示を行う表示部と、を有し、
前記単語データを各項目ごとにひとつ選択して入力し一組のデータ群とするとともに、これをマスターデータとして登録可能とするプリンターにおけるマスターデータ入力方法であって、
前記単語データを前記項目ごとに分類分けし、それぞれの項目の単語テーブルとして単語テーブル保存部に記憶しておくとともに、
前記印字用紙の領域に互いに独立した所定数のデータ入力フィールドを設定し、
前記表示部においてこれらのデータ入力フィールドを表示可能とし、
この表示されたデータ入力フィールドのいずれかを選択することにより、前記単語テーブルの一覧を表示するとともに、これらのデータ入力フィールドに対応して前記単語テーブルをそれぞれ選択して割り当て可能とし、前記マスターデータを入力するマスターテーブルとして設定可能とすることを特徴とするプリンターにおけるマスターデータ入力方法。
【請求項９】
装填された印字用紙に印字を行う印字部と、
この印字部により印字される印字データとしてあらかじめ登録してある各種の単語データ、および各種の制御プログラムを保存しているＲＯＭと、
これらの制御プログラムにしたがって前記印字部を制御する制御部と、
この制御部による各種の操作その他の表示を行う表示部と、を有し、
前記単語データを各項目ごとにひとつ選択して入力し一組のデータ群とするとともに、これをマスターデータとして登録可能とするプリンターにおけるマスターデータ入力方法であって、
前記単語データのそれぞれにコード番号を付与して、このコード番号により前記単語データを選択可能とし、
前記単語データを前記項目ごとに分類分けし、それぞれの項目の単語テーブルとして単語テーブル保存部に記憶しておくとともに、
いずれかの前記コード番号の入力により、対応する前記単語データを表示して前記マスターデータとして入力可能とすることを特徴とするプリンターにおけるマスターデータ入力方法。
【請求項１０】
装填された印字用紙に印字を行う印字部と、
この印字部により印字される印字データとしてあらかじめ登録してある各種の単語データ、および各種の制御プログラムを保存しているＲＯＭと、
これらの制御プログラムにしたがって前記印字部を制御する制御部と、
この制御部による各種の操作その他の表示を行う表示部と、を有し、
前記単語データを各項目ごとにひとつ選択して入力し一組のデータ群とするとともに、これをマスターデータとして登録可能とするプリンターにおけるマスターデータ入力方法であって、
前記単語データのそれぞれに省略名を付与して、この省略名により前記単語データないしそのいくつかを表示して選択可能とし、
前記単語データを前記項目ごとに分類分けし、それぞれの項目の単語テーブルとして単語テーブル保存部に記憶しておくとともに、
いずれかの前記省略名の入力により、対応する前記単語データないしそのいくつかを表示して選択可能とし、前記マスターデータとして入力可能とすることを特徴とするプリンターにおけるマスターデータ入力方法。
【発明の詳細な説明】
【技術分野】
【０００１】
本発明はプリンターにおけるマスターデータ入力装置およびマスターデータ入力方法にかかるもので、とくに印字用紙におけるデータ入力フィールドに対応してマスターデータを入力可能としたプリンターにおけるマスターデータ入力装置およびマスターデータ入力方法に関するものである。
【背景技術】
【０００２】
従来から、ラベルあるいはタグなどの値札その他の情報表示片（印字用紙）に印字を行うサーマルプリンター、熱転写プリンターその他各種のプリンターにおいて、たとえば、ラベルを貼り付ける商品などに応じて、品名、原材料、添加物、価格、その他の情報をそれぞれの印字データとしてラベルの所定領域に割り当てて、印字レイアウトないしデザイン（印字フォーマット）を設定することが行われている。
この印字フォーマットを設定して登録する際に、あらかじめ印字用紙の領域に互いに独立した所定数のデータ入力フィールドを設定し、それぞれのデータ入力フィールドに上記品名、原材料、添加物、価格、その他の情報を単語データ（マスターデータ）としてあらかじめ入力しておき、実際のラベルなどにおいて印字レイアウトを決定する場合に、それぞれのデータ入力フィールドを印字用紙上で任意の部位に移動設定可能として、印字用紙上で印字レイアウトのデザインを行う際の便としている。
この単語データ自体は、操作者がその都度これを編集して作成し、入力する場合もあるが、プリンターにおいて、たとえばそのＲＯＭなどメモリー部分にこれらの単語データをあらかじめ登録してあることが多い。
【０００３】
しかしながら、とくに食品関係の商品などについて、その品名、原材料、添加物その他の情報としてあらかじめ登録してある単語データ自体が多い場合には、必要な単語を選択して入力する操作が面倒であるという問題がある。
なお、ホストコンピューターに接続可能なプリンターでは、このホストコンピューター側からの印字データないし登録データを入手することが比較的簡単ではあるが、いわゆるスタンドアロンタイプのプリンターでは、当該プリンターにおいてマスターデータの入力登録処理を行う必要があることから、とくにそのデータ（マスターデータ）入力時の操作性の向上が望まれている。
【０００４】
【特許文献１】特開平１１−２４０２１０号公報
【発明の開示】
【発明が解決しようとする課題】
【０００５】
本発明は以上のような諸問題にかんがみなされたもので、とくに数多くある単語データの中からマスターデータとして入力する際の操作性を向上させることができるプリンターにおけるマスターデータ入力装置およびマスターデータ入力方法を提供することを課題とする。
【０００６】
また本発明は、各種の単語データから所望の単語データを容易に選択可能としたプリンターにおけるマスターデータ入力装置およびマスターデータ入力方法を提供することを課題とする。
【０００７】
また本発明は、似たような単語データから必要な単語データを抽出し、選択する単語データの数自体を減らして、データ入力の操作性を向上可能なプリンターにおけるマスターデータ入力装置およびマスターデータ入力方法を提供することを課題とする。
【課題を解決するための手段】
【０００８】
すなわち本発明は、各種の単語データを品名、原材料、添加物、価格、その他の情報などに分類分けし、それぞれの単語テーブルとして単語テーブル保存部に記憶しておくこと、データ入力フィールドに対して単語テーブルを対応させること、それぞれの単語データにコード番号や省略名を付与しておくことなどに着目したもので、第一の発明は、データ入力フィールドと単語テーブルとの割当てに関するもので、装填された印字用紙に印字を行う印字部と、この印字部により印字される印字データとしてあらかじめ登録してある各種の単語データ、および各種の制御プログラムを保存しているＲＯＭと、これらの制御プログラムにしたがって上記印字部を制御する制御部と、この制御部による各種の操作その他の表示を行う表示部と、を有し、上記単語データを各項目ごとにひとつ選択して入力し一組のデータ群とするとともに、これをマスターデータとして登録可能とするプリンターにおけるマスターデータ入力装置であって、上記単語データを上記項目ごとに分類分けし、それぞれの項目の単語テーブルとして単語テーブル保存部に記憶しておくとともに、上記印字用紙の領域に互いに独立した所定数のデータ入力フィールドを設定し、上記表示部においてこれらのデータ入力フィールドを表示可能とし、上記制御部は、この表示されたデータ入力フィールドのいずれかを選択することにより、上記単語テーブルの一覧を表示するとともに、これらのデータ入力フィールドに対応して上記単語テーブルをそれぞれ選択して割り当て可能とし、上記マスターデータを入力するマスターテーブルとして設定可能とすることを特徴とするプリンターにおけるマスターデータ入力装置である。
【０００９】
第二の発明は、単語データのコード番号を用いたコード番号変換機能に関するもので、装填された印字用紙に印字を行う印字部と、この印字部により印字される印字データとしてあらかじめ登録してある各種の単語データ、および各種の制御プログラムを保存しているＲＯＭと、これらの制御プログラムにしたがって上記印字部を制御する制御部と、この制御部による各種の操作その他の表示を行う表示部と、を有し、上記単語データを各項目ごとにひとつ選択して入力し一組のデータ群とするとともに、これをマスターデータとして登録可能とするプリンターにおけるマスターデータ入力装置であって、上記単語データのそれぞれにコード番号を付与して、このコード番号により上記単語データを選択可能とし、上記単語データを上記項目ごとに分類分けし、それぞれの項目の単語テーブルとして単語テーブル保存部に記憶しておくとともに、上記制御部は、いずれかの上記コード番号の入力により、対応する上記単語データを表示して上記マスターデータとして入力可能とすることを特徴とするプリンターにおけるマスターデータ入力装置である。
【００１０】
第三の発明は、単語データの省略名を用いた省略名検索機能に関するもので、装填された印字用紙に印字を行う印字部と、この印字部により印字される印字データとしてあらかじめ登録してある各種の単語データ、および各種の制御プログラムを保存しているＲＯＭと、これらの制御プログラムにしたがって上記印字部を制御する制御部と、この制御部による各種の操作その他の表示を行う表示部と、を有し、上記単語データを各項目ごとにひとつ選択して入力し一組のデータ群とするとともに、これをマスターデータとして登録可能とするプリンターにおけるマスターデータ入力装置であって、上記単語データのそれぞれに省略名を付与して、この省略名により上記単語データないしそのいくつかを表示して選択可能とし、上記単語データを上記項目ごとに分類分けし、それぞれの項目の単語テーブルとして単語テーブル保存部に記憶しておくとともに、上記制御部は、いずれかの上記省略名の入力により、対応する上記単語データないしそのいくつかを表示して選択可能とし、上記マスターデータとして入力可能とすることを特徴とするプリンターにおけるマスターデータ入力装置である。
【００１１】
第四の発明は、第一の発明と同様に、データ入力フィールドと単語テーブルとの割当てに関するもので、装填された印字用紙に印字を行う印字部と、この印字部により印字される印字データとしてあらかじめ登録してある各種の単語データ、および各種の制御プログラムを保存しているＲＯＭと、これらの制御プログラムにしたがって上記印字部を制御する制御部と、この制御部による各種の操作その他の表示を行う表示部と、を有し、上記単語データを各項目ごとにひとつ選択して入力し一組のデータ群とするとともに、これをマスターデータとして登録可能とするプリンターにおけるマスターデータ入力方法であって、上記単語データを上記項目ごとに分類分けし、それぞれの項目の単語テーブルとして単語テーブル保存部に記憶しておくとともに、上記印字用紙の領域に互いに独立した所定数のデータ入力フィールドを設定し、上記表示部においてこれらのデータ入力フィールドを表示可能とし、この表示されたデータ入力フィールドのいずれかを選択することにより、上記単語テーブルの一覧を表示するとともに、これらのデータ入力フィールドに対応して上記単語テーブルをそれぞれ選択して割り当て可能とし、上記マスターデータを入力するマスターテーブルとして設定可能とすることを特徴とするプリンターにおけるマスターデータ入力方法である。
【００１２】
第五の発明は、第二の発明と同様に、単語データのコード番号を用いたコード番号変換機能に関するもので、装填された印字用紙に印字を行う印字部と、この印字部により印字される印字データとしてあらかじめ登録してある各種の単語データ、および各種の制御プログラムを保存しているＲＯＭと、これらの制御プログラムにしたがって上記印字部を制御する制御部と、この制御部による各種の操作その他の表示を行う表示部と、を有し、上記単語データを各項目ごとにひとつ選択して入力し一組のデータ群とするとともに、これをマスターデータとして登録可能とするプリンターにおけるマスターデータ入力方法であって、上記単語データのそれぞれにコード番号を付与して、このコード番号により上記単語データを選択可能とし、上記単語データを上記項目ごとに分類分けし、それぞれの項目の単語テーブルとして単語テーブル保存部に記憶しておくとともに、いずれかの上記コード番号の入力により、対応する上記単語データを表示して上記マスターデータとして入力可能とすることを特徴とするプリンターにおけるマスターデータ入力方法である。
【００１３】
第六の発明は、第三の発明と同様に、単語データの省略名を用いた省略名検索機能に関するもので、装填された印字用紙に印字を行う印字部と、この印字部により印字される印字データとしてあらかじめ登録してある各種の単語データ、および各種の制御プログラムを保存しているＲＯＭと、これらの制御プログラムにしたがって上記印字部を制御する制御部と、この制御部による各種の操作その他の表示を行う表示部と、を有し、上記単語データを各項目ごとにひとつ選択して入力し一組のデータ群とするとともに、これをマスターデータとして登録可能とするプリンターにおけるマスターデータ入力方法であって、上記単語データのそれぞれに省略名を付与して、この省略名により上記単語データないしそのいくつかを表示して選択可能とし、上記単語データを上記項目ごとに分類分けし、それぞれの項目の単語テーブルとして単語テーブル保存部に記憶しておくとともに、いずれかの上記省略名の入力により、対応する上記単語データないしそのいくつかを表示して選択可能とし、上記マスターデータとして入力可能とすることを特徴とするプリンターにおけるマスターデータ入力方法である。
【００１４】
上記表示部は、タッチパネルを有し、このタッチパネルにおいて上記データ入力フィールドのそれぞれを表示可能とするとともに、このデータ入力フィールドのいずれかひとつに触れることにより上記それぞれの単語テーブルの一覧を表示し、いずれかひとつの単語テーブルを選択可能とすることができる。
【００１５】
上記所定数のデータ入力フィールドに対応して入力した上記マスターデータをマスターデータ保存部に記憶することができる。
【００１６】
上記表示部にテーブルキーを設け、上記コード番号およびこのテーブルキーの入力により上記単語データを表示可能とすることができる。
【００１７】
上記表示部にテーブルキーを設け、上記省略名およびこのテーブルキーの入力により上記単語データを表示可能とすることができる。
【発明の効果】
【００１８】
本発明によるプリンターにおけるマスターデータ入力装置およびマスターデータ入力方法においては、単語データを品名、原材料、添加物、価格、その他の情報などの項目ごとに分類分けし、それぞれの単語テーブルとして単語テーブル保存部に記憶しておくようにしたので、この単語テーブルを呼び出して所望の単語データを選択可能とすることにより、マスターデータの入力操作を簡便化することができる。
【００１９】
とくに第一の発明によれば、印字用紙の領域に互いに独立した所定数のデータ入力フィールドを設定し、いずれかのデータ入力フィールドに所定の単語テーブルを割り付け可能としたので、データ入力フィールドへのマスターデータ入力の操作を単語テーブルからの単語データの選択という操作とすることができ、データ入力の操作性を向上したプリンターとすることができる。
【００２０】
とくに第二の発明によれば、単語データのそれぞれにコード番号を付与したので、いずれかのコード番号の入力により、対応する単語データを表示してマスターデータとして入力可能なプリンターとすることができる。
【００２１】
とくに第三の発明によれば、単語データのそれぞれに省略名を付与したので、いずれかの省略名の入力により、対応する単語データないしそのいくつかを検索表示して選択可能としマスターデータとして入力可能なプリンターとすることができる。
【００２２】
とくに第四の発明によれば、それぞれの単語テーブルに分類分けした単語データをデータ入力フィールドに入力するにあたり、このデータ入力フィールドに応じていずれかの単語テーブルを選択することにより、対応する単語テーブルの一覧を表示して、所望の単語データをマスターデータとして入力可能としたので、データ入力の操作性を向上させることができる。
【００２３】
とくに第五の発明によれば、単語データのそれぞれにコード番号を付与して、選択可能としたので、いずれかのコード番号の入力により、対応する単語データを表示してマスターデータとして入力可能である。
【００２４】
とくに第六の発明によれば、単語データのそれぞれに省略名を付与して、選択可能としたので、いずれかの省略名の入力により、対応する単語データないしそのいくつかを検索表示して選択可能としマスターデータとして入力可能である。
【発明を実施するための最良の形態】
【００２５】
本発明は、単語データをそれぞれの項目に応じて単語テーブルに分類分けし、またコード番号および省略名などを設定することにより、マスターデータの入力操作を簡便化することができるプリンターを実現した。
【実施例】
【００２６】
つぎに本発明の実施例によるプリンターにおけるマスターデータ入力装置およびマスターデータ入力方法を図１ないし図９にもとづき説明する。
図１は、本発明によるマスターデータ入力装置を備え、マスターデータ入力方法を実行可能なサーマルプリンター１（プリンター）の概略回路図であって、サーマルプリンター１は、制御部２（ＣＰＵ）と、通信インターフェース３と、キー入力部４と、表示部５と、印字部６と、ＲＯＭ７と、ＲＡＭ８と、メモリーカード９と、マスターデータ入力装置１０と、を有する。
【００２７】
制御部２は、ＲＯＭ７に保存された各種の制御プログラムにもとづいて上記各部分を制御する。
【００２８】
通信インターフェース３は、サーマルプリンター１と、他のホストコンピューターあるいは各種の機器（図示せず）との間のデータないしコマンドの授受を行う。
【００２９】
キー入力部４は、数字入力を行うテンキー１１と、各種のコマンド入力を行うコマンドキー１２と、を有する
【００３０】
表示部５は、制御部２による各種の操作その他の表示を行うもので、ＬＥＤなどによる表示ランプ１３と、タッチパネル１４と、を有する。
【００３１】
印字部６は、装填されたラベルＬなどの印字用紙に印字を行うものであって、ラベルＬを移送するためプラテンローラー１５を回転駆動するモーター１６と、サーマルヘッド１７と、を有する。
【００３２】
ＲＯＭ７は、各種の制御プログラムを保存しているとともに、印字部６により印字される印字データとしてあらかじめ登録してある各種の単語データを記憶している単語テーブル保存部１８を有している（後述）。
【００３３】
ＲＡＭ８は、制御部２による各種制御の処理に当たって、データや制御プログラムの一時保存などを行う。
【００３４】
メモリーカード９は、サーマルプリンター１のユーザーが各種の印字データを一時的に保存可能にその授受を行うものである。
このメモリーカード９には、本発明により入力したマスターデータを記憶するためのマスターデータ保存部１９を設けてある。なお、サーマルプリンター１のユーザーが独自に単語テーブルを作成するような場合には、このメモリーカード９に単語テーブル保存部１８（図１中、仮想線）を設けることもできる。
【００３５】
マスターデータ入力装置１０は、上述した制御部２、キー入力部４、表示部５およびＲＯＭ７、あるいはメモリーカード９、さらにはＲＡＭ８などからこれを構成することができる。
以下、マスターデータ入力装置１０の操作について説明する。
【００３６】
図２は、ラベルＬ上の仮想の領域を示す平面図であって、ラベルＬの領域において互いに独立した所定数のデータ入力フィールド２０を設定するとともに、表示部５（タッチパネル１４）においてこれらのデータ入力フィールド２０を表示可能としている。
たとえば、データ入力フィールド２０として、品名データを入力する領域、原材料データを入力する領域、添加物データを入力する領域、価格データを入力する領域、などを設定する。
【００３７】
図３は、表示部５のタッチパネル１４における登録モード操作画面２１の説明図であって、登録モードの状態を示している。
すなわち、この登録モード操作画面２１において、マスターテーブル登録、マスターデータ登録、単語テーブルなどの項目をそれぞれ選択して、それぞれの登録処理に移行することができる。
【００３８】
たとえば、図４は、マスターテーブル登録操作画面２２を示す説明図であって、図３に示した「マスターテーブル登録」の領域をタッチすることにより、このマスターテーブル登録操作画面２２に移行することができる。
すなわち、このマスターテーブル登録操作画面２２において、データ入力フィールド２０（図２）に対応して、それぞれの単語テーブル２３を割り付ける。具体的には、１番のフィールド（図２のデータ入力フィールド２０）の単語テーブル２３部分に触れることにより、このフィールドに割り当て可能な複数の単語テーブル２３の一覧を表示し、この一覧単語テーブル２３の中から所望の単語テーブル２３を選択することができるようにしている。
たとえば、１番のフィールド名には、単語テーブル２３として品名テーブルを割り当て、２番のフィールド名には他の単語テーブル２３として原材料テーブルなどを割り当てる。
このような割当て処理により、それぞれのデータ入力フィールド２０に必要な単語テーブル２３を割り当て、この単語テーブル２３の中からさらに所望の単語（単語データ）を選択してデータ入力フィールド２０に入力することにより、ラベルＬにおけるレイアウトの便とすることができる。
【００３９】
すなわち図５は、単語テーブル２３の一例を示す説明図であって、たとえば品名テーブルの例を示している。
図示のように、たとえばコード番号２４が「０００１」は単語データ２５が「さば味噌」であり、その省略名２６は「サバ」である。以下同様にして、コード番号２４が「０００２」は単語データ２５が「さば焼き」であり、その省略名２６は同じく「サバ」である。
このような単語データ２５およびそのコード番号２４や省略名２６を記憶した単語テーブル２３の内容は、前記ＲＯＭ７内の前記単語テーブル保存部１８にあらかじめ記憶させておくものである。
【００４０】
図６は、マスターデータ登録画面２７の説明図であって、それぞれのデータ入力フィールド２０にそれぞれの単語テーブル２３から所望の単語データ２５を選択して入力することができる。
なお、登録モード操作画面２１（図３）の「マスターデータ登録」の領域に触れることにより、図６のマスターデータ登録画面２７に移行することができる。
このマスターデータ登録画面２７において、それぞれのフィールド名（データ入力フィールド２０）におけるデータ入力欄２８に触れることにより、文字の入力画面２９（図７）に移行することができる。たとえば、品名欄のデータ入力欄２８に触れることにより、所望の品名を入力可能な文字の入力画面２９に移行することができる。
【００４１】
すなわち図７は、単語テーブル２３からそれぞれの単語データ２５を入力するための文字の入力画面２９の説明図であって、タッチパネル１４上に一般的なワープロ機器の編集画面と同様の機能を有する画面を示している。たとえば、画面上では、「べんとう」と入力し、変換キーなどを押すことにより、「弁当」などと表示することができる。
タッチパネル１４上には、テーブルキー３０を設けてあり、このテーブルキー３０を押すことにより、それぞれの単語テーブル２３（図５）に移行することができる。たとえば、図６において品名欄のデータ入力欄２８に触れて図７の文字の入力画面２９に移行した場合には、品名テーブルという単語テーブル２３に移行することができる。
かくして品名テーブルを画面上に表示した状態で、その品名一覧の中から所定の品名（単語データ２５）を選択して入力することにより、たとえば、「特選  幕の内弁当」と入力し、表示することになる。以下、名称、原材料などについても同様である。
【００４２】
ただし、本発明においては、上述のようなマスターデータの入力時に、コード変換機能および省略名検索機能により、そのデータ入力操作を簡便にすることができるようになっている。
すなわち図５に示すように、たとえば品名テーブルなど、ある単語テーブル２３においてコード番号２４、単語データ２５および省略名２６を互いに関連付けて一覧表示可能としてあるとともに、コード番号２４あるいは省略名２６により対応する単語データ２５のそれぞれを選択ないし検索することができるようになっている。
【００４３】
したがって、図７に示した文字の入力画面２９において、テンキー１１（図１）からコード番号２４「０００１」を入力するとともにテーブルキー３０を押すことにより、図５の「さば味噌」を選択表示することができ、さらにこれを確定することにより図６のマスターデータ登録画面２７における品名欄に、たとえば「さば味噌」と入力することが可能となる。したがって、多くの単語データ２５をリスト表示したものの中から「さば味噌」を探す必要がなくなり、マスターデータ入力操作を容易にすることができる。
さらに、コード番号２４が不明な場合には、「さば味噌」という単語のうち特徴的な部分（すなわち、「サバ」）を入力するとともにテーブルキー３０を押せば、図５の省略名２６に示すような、「さば」という部分を有する単語を検索し一覧表示することができるので、「さば味噌」という単語データ２５を探す範囲を狭くして、そのマスターデータ入力操作を容易にすることができる。
以下、図６におけるマスターデータ登録画面２７において同様の操作を繰り返すことにより、それぞれのフィールド名（データ入力フィールド２０）のデータ入力欄２８に各項目ごとに所望の単語データ２５を入力表示することができる。
この単語データ２５の一組としての一群をマスターデータとしてメモリーカード９内のマスターデータ保存部１９に記憶しておくことができる。
【００４４】
図８は、データ入力フィールド２０に所望の単語データ２５に関してコード番号２４およびテーブルキー３０を入力した際の、制御部２における制御の流れを示すフローチャート図であって、ステップＳ１においてテーブルキー３０（図７）の押下げがあったかを判断し、ステップＳ２において数字４桁（コード番号２４）の入力があったかを判断する。
ステップＳ３において、該当するコード番号２４の単語データ２５があるか否かを判断し、単語データ２５があれば、該当するコード番号２４の単語データ２５を入力データとして入力画面２９に表示する（ステップＳ４）。
【００４５】
図９は、データ入力フィールド２０に所望の単語に関して省略名２６およびテーブルキー３０を入力した際の、制御部２における制御の流れを示すフローチャート図であって、ステップＳ１１において、テーブルキー３０の押下げがあったかを判断し、ステップＳ１２において１文字あるいは２文字（省略名２６）の入力があったかを判断する。
ステップＳ１３において、該当する省略名２６を検索してその単語データ２５の一覧を表示することとなり、操作者は、所望の単語データ２５（たとえば「さば味噌」）を選択するとともに、入力画面２９において入力することができる。
【図面の簡単な説明】
【００４６】
【図１】本発明の実施例によるマスターデータ入力装置１０を備え、マスターデータ入力方法を実行可能なサーマルプリンター１の概略回路図である。
【図２】同、ラベルＬ上の仮想の領域を示す平面図である。
【図３】同、表示部５のタッチパネル１４における登録モード操作画面２１の説明図である。
【図４】同、マスターテーブル登録操作画面２２を示す説明図である。
【図５】同、単語テーブル２３の一例を示す説明図である。
【図６】同、マスターデータ登録画面２７の説明図である。
【図７】同、単語テーブル２３からそれぞれの単語データ２５を入力するための文字の入力画面２９の説明図である。
【図８】同、データ入力フィールド２０に所望の単語データ２５に関してコード番号２４およびテーブルキー３０を入力した際の、制御部２における制御の流れを示すフローチャート図である。
【図９】同、データ入力フィールド２０に所望の単語に関して省略名２６およびテーブルキー３０を入力した際の、制御部２における制御の流れを示すフローチャート図である。
【符号の説明】
【００４７】
１  サーマルプリンター（プリンター）（図１）
２  制御部
３  通信インターフェース
４  キー入力部
５  表示部
６  印字部
７  ＲＯＭ
８  ＲＡＭ
９  メモリーカード
１０  サーマルプリンター１のマスターデータ入力装置（実施例、図１）
１１  テンキー
１２  コマンドキー
１３  表示ランプ
１４  タッチパネル
１５  プラテンローラー
１６  モーター
１７  サーマルヘッド
１８  ＲＯＭ７内の単語テーブル保存部
１９  メモリーカード９内のマスターデータ保存部
２０  データ入力フィールド（図２）
２１  登録モード操作画面（図３）
２２  マスターテーブル登録操作画面（図４）
２３  単語テーブル（図５）
２４  コード番号
２５  単語データ
２６  省略名
２７  マスターデータ登録画面（図６）
２８  データ入力欄（図６）
２９  文字の入力画面（図７）
３０  テーブルキー
Ｌ    ラベル（印字用紙）
【図１】
2005107618.tif 000003
【図２】
2005107618.tif 000004
【図３】
2005107618.tif 000005
【図４】
2005107618.tif 000006
【図５】
2005107618.tif 000007
【図６】
2005107618.tif 000008
【図７】
2005107618.tif 000009
【図８】
2005107618.tif 000010
【図９】
2005107618.tif 000011